(57)【要約】    【課題】  操作が容易な電子アルバム提供装置を提供する。    【解決手段】  被写体を撮影して電子写真画像情報として記憶する電子カメラ２と、この電子カメラから電子写真画像情報を入力して表示する電子アルバム１を備えた電子アルバム提供装置であって、電子アルバムは、指紋入力部１１６から入力される指紋情報またはメモ入力用タブレット型ディスプレイ１１２から入力されるメモ情報をキーワードとして電子写真画像を選択間とに抽出して表示する。【選択図】  図１１
2005301381.tif 000002
【特許請求の範囲】
【請求項１】
被写体を撮影して電子写真画像情報として記憶する電子カメラと、前記電子カメラから前記電子写真画像情報を入力して表示する電子アルバムを備えた電子アルバム提供装置において、
前記電子アルバムは、指紋入力部と、指紋認識処理部と、指紋情報を付した電子写真情報を格納するメモリと、入力された指紋情報と一致する指紋情報が付された電子写真情報を検索して表示させる検索処理部を備えたことを特徴とした電子アルバム提供装置。
【請求項２】
請求項１において、更に、検索して表示する電子写真画像を複数に分割して表示する分割処理部と、分割された画像片を移動させて復元させる入力部を備えたことを特徴とする電子アルバム提供装置。
【請求項３】
請求項２において、前記分割処理部は、画像片復元能力に応じて自動的に画像分割内容を適正化することを特徴とする電子アルバム提供装置。
【請求項４】
請求項１において、前記電子カメラは、カメラメモ入力用タブレットを備え、撮影した電子写真画像情報にメモ情報を付した電子写真情報を格納し、
電子アルバムは、メモ入力用タブレットと、このメモ入力タブレットからに入力したメモ情報に基づいて、前記電子カメラから取得した電子写真情報から該当する電子写真画像を検索する検索処理部を備えたことを特徴とする電子アルバム提供装置。
【発明の詳細な説明】
【技術分野】
【０００１】
本発明は、電子アルバム提供装置に関する。
【背景技術】
【０００２】
電子アルバム提供装置は、被写体を撮影して電子写真画像情報とする電子カメラと、前記電子カメラから電子写真画像情報を入力して格納し、格納した電子写真画像情報を検索再生表示する電子アルバムを備える。そして、電子カメラで撮影して得た電子写真画像情報は、例えばＵＳＢインターフェースなどを経由して、撮影時期に応じて順番にコンピュータシステム等の電子アルバムに転送されて該電子アルバムに取り込まれて記憶され、電子写真映像として表示される。
【０００３】
このような電子アルバム提供装置は、電子アルバムで写真（電子写真画像）を見るときには、時系列的に配列された電子写真画像情報を読み出して表示器に電子写真映像として一覧表示させ、目的の電子写真映像を選択して拡大表示させる操作が必要である。従って、例えば病院の患者やコンピュータ操作に不得手な操作者には、見たい電子写真映像を選択して表示させるのに時間がかかる問題があった。
【０００４】
このような電子アルバム提供装置における操作を容易にするためには、例えば、特許第３３８０１８４号公報に記載された「電子アルバム及びその画像処理方法」や特開２００３―１９６３１８号公報に記載された「画表示方法および装置」や特開２００３−２２４７５０号公報に記載された「デジタルカメラ及び画像編集システム」を採用することが考えられる。
【０００５】
因に、特許第３３８０１８４号公報に記載された「電子アルバム及びその画像処理方法」は、撮影後の画像データを、再生表示装置の中でDirectlyを付加し検索を容易にするものであり、特開２００３―１９６３１８号公報に記載された「画表示方法および装置」は、タッチパネルを使って１ページ又は複数ページ毎に映像画面をめくる方法を提案するものであり、特開２００３−２２４７５０号公報に記載された「デジタルカメラ及び画像編集システム」は、電子カメラにソフトキーボードを使って画像の検索を容易にするものである。
【０００６】
【特許文献１】特許第３３８０１８４号公報
【特許文献２】特開２００３―１９６３１８号公報
【特許文献３】特開２００３−２２４７５０号公報
【発明の開示】
【発明が解決しようとする課題】
【０００７】
しかし、前述したような電子アルバム提供装置では、次のような点で問題が残る。
【０００８】
１）電子アルバム提供装置を構成する電子カメラと電子アルバムは、一般には、可搬性を考慮した別々の機器であることから、撮影後に電子アルバムを使用して改めて撮影コマ（電子写真画像）毎にディレクトリーを付加することは面倒である。
【０００９】
２）タッチスイッチなどのインターフェースを使用して電子アルバムのページめくりをすることは便利であるが、撮影された電子写真画像が多い場合には、目的の電子写真画像を見つけ出して選択する（検索する）までに長時間を要することがある。
【００１０】
３）操作者が初心者の場合には、メモ検索は不便である。すなわち、キーワード入力の不便、検索時のキーワード忘却、ソフトキーボード操作に時間がかかる、などの不便がある。
【００１１】
本発明の１つの目的は、操作が容易な電子アルバム提供装置を提供することにある。
【００１２】
本発明の他の目的は、非健常者のリハビリ用などに使用するのに便利な電子アルバム装置を提供することにある。
【００１３】
本発明の更に他の目的は、非健常者のリハビリ用などに使用するのに好適なコンテンツや電子写真画像の映像を電子アルバムに表示することができる便利な電子アルバム装置を提供することにある。
【課題を解決するための手段】
【００１４】
本発明は、被写体を撮影して電子写真画像情報として記憶する電子カメラと、前記電子カメラから前記電子写真画像情報を入力して表示する電子アルバムを備えた電子アルバム提供装置において、
前記電子アルバムは、指紋入力部と、指紋認識処理部と、指紋情報を付した電子写真情報を格納するメモリと、入力された指紋情報と一致する指紋情報が付された電子写真情報を検索して表示させる検索処理部を備えたことを特徴とし、
また、更に、検索して表示する電子写真画像を複数に分割して表示する分割処理部と、分割された画像片を移動させて復元させる入力部を備えたことを特徴とし、
また、前記分割処理部は、画像片復元能力に応じて自動的に画像分割内容を適正化することを特徴とし、
更には、前記電子カメラは、カメラメモ入力用タブレットを備え、撮影した電子写真画像情報にメモ情報を付した電子写真情報を格納し、
電子アルバムは、メモ入力用タブレットと、このメモ入力タブレットからに入力したメモ情報に基づいて、前記電子カメラから取得した電子写真情報から該当する電子写真画像を検索する検索処理部を備えたことを特徴とする。
【発明の効果】
【００１５】
本発明は、操作が容易な電子アルバム提供装置を実現することができる。
【００１６】
また、非健常者のリハビリ用などに使用するのに便利な電子アルバム装置を実現することができる。
【００１７】
また、非健常者のリハビリ用などに使用するのに好適なコンテンツや電子写真画像の映像を電子アルバムに表示することができる便利な電子アルバム装置を実現することができる。
【００１８】
更に具体的には、
・指紋認識により、リハビリ患者が自分の病状に合った記憶回帰治療用コンテンツを、電子アルバムから自動的に抽出して表示することが可能となり、医師の治療時間短縮することができる。
【００１９】
・電子カメラで撮影した親族の電子写真画像をジグゾーパズル化し、患者がそのパズルを完了する時間をプロットしておき、一定時間内にクリアすればこのパズルの難易度終了を記憶しておき、次の治療の時、患者の指紋入力と同時に前出ジグゾーパズル操作のパターンや習熟度に応じて、より上の難易度のジグゾーパズルが自動的にロードするようにする。これにより医師の治療を効率良く行うことが可能となる。
・電子カメラで撮影した電子写真情報が多くとも、検索用関連情報の入力で容易に必要とする電子写真画像の検索が容易である。
【００２０】
・検索した電子写真画像情報は、最初から該当分、順番に配列され表示される。従って、見たい電子写真画像を選択し、見たい順番に配列する操作の手間が省ける。
・病院の患者のリハビリ用として、例えば肉親の見たい電子写真画像を任意に分割して復元させるジグゾーパズルが容易に作成可能である。
・アルバムの写真めくりに代わりタッチパネルにより写真が更新される為、写真の多さによる重量を意識せずに、大容量の写真めくりが容易となる。
【００２１】
・必要とする写真の検索変更が発生した場合には、関連情報を入力し直しすることにより、必要写真のサーチ時間が著しく削減する。
・紙ベースの写真に代わり電子記憶媒体による電子写真滋養法の保存が可能となることから、管理が簡単となり、資源保全と経費削減に繋がる。
・写真のページが増大すれば写真台帳を重ねて保存しなければならないが、記憶媒体１個で数百ページの電子写真画像の保存が可能となることから、紙台本の空間を必要としない。
【発明を実施するための最良の形態】
【００２２】
被写体を撮影して電子写真画像情報として記憶する電子カメラと、前記電子カメラから前記電子写真画像情報を入力して表示する電子アルバムを備えた電子アルバム提供装置において、
前記電子アルバムは、指紋入力部と、指紋認識処理部と、指紋情報を付した電子写真情報を格納するメモリと、入力された指紋情報と一致する指紋情報が付された電子写真情報を検索して表示させる検索処理部と、検索して表示する電子写真画像を複数に分割して表示する分割処理部と、分割された画像片を移動させて復元させる入力部とを備え、前記分割処理部は、画像片復元能力に応じて自動的に画像分割内容を適正化する電子アルバム提供装置。
【実施例１】
【００２３】
以下、本発明の実施例について説明する。
【００２４】
図１は、本発明を適用した電子アルバム提供装置のシステム構成図である。この実施例における電子アルバム提供装置は、電子写真画像情報を再生して映像として表示する電子アルバム１と、被写体を撮影して電子写真画像情報を生成して前記電子アルバムに各種の方法で転送する電子カメラ２を備える。
【００２５】
図２は、前記電子カメラ２のハードウェア構成を示すブロック図である。制御処理部２１０は、演算処理を行うＣＰＵ２１１と、ＷｅｂやＬＡＮ等の通信網３１０と接続するネットワーク接続部２１２と、電子カメラ機能を実現するカメラプログラムを搭載しているプログラム部ＲＯＭ２１３およびＲＡＭ部２１４と、フラッシュメモリー（ＣＦメモリ）等の外部メモリ部２１５と、被写体３２０からカメラレンズ２２０を経由して入射する光学像の光量を認識して電気信号に変換するＣＣＤ光量認識デバイス部２１６と、ＣＣＤ光量認識デバイス部２１６から出力するアナログ形態の電気信号をディジタル形態の電気信号に変換するＡＤ変換部２１７と、初期値設定部２３１，撮影画像表示用ディスプレイ２３２，カメラメモ入出力用タブレット型ディスプレイ２３３，メモ入力設定スイッチ２３４およびメモ入力解除スイッチ２３５，シャッタースイッチ２３６と接続する入出力インターフェース部２１８と、電子アルバム１と接続するＵＳＢインターフェース部２１９とを備え、電源スイッチ２３７に接続される。
【００２６】
図３は、前記電子カメラ２における操作部を示す外殻の背面図である。この電子カメラ２の操作部は、カメラの基本機能（シャッター速度やフラッシュの有無などの各種撮影条件等）の設定スイッチボタンを集約させて設けた前記初期値設定部２３１と、光学ファインダー２５０を見ながらカメラレンズ２２０を向けた被写体３２０の電子写真画像を写し出す前記撮影画像表示用ディスプレイ（液晶パネル）２３２と、撮影キーワードなどのメモ情報を手書き入力する前記カメラメモ入出力用タブレット型ディスプレイ（タッチパネル）２３３と、カメラメモ情報入力を設定する前記メモ入力設定スイッチボタン２３４およびカメラメモ情報入力を解除する前記メモ入力解除スイッチボタン２３５と、電源スイッチ２３７を外殻２４０の背面に備え、シャッタースイッチボタン２３６を外殻２４０の上面に備える。
【００２７】
図４は、前記電子カメラ２の機能ブロック図であり、電源スイッチ２３７を押して制御処理部２１０を起動することによってＣＰＵ２１１がプログラム部ＲＯＭ２１３に搭載されているカメラプログラムを実行して実現する機能である。
【００２８】
初期設定部２１１ａは、撮影画像表示用ディスプレイ２３２にメニュー画面を表示し、初期値設定部２３１の設定スイッチボタンを選択的に操作して入力されるシャッター速度やフラッシュの有無などの撮影条件に従った撮影モードを設定する。
【００２９】
電子写真画像情報記憶処理部２１１ｂは、カメラレンズ２２０を通して入射する被写体３２０の光像をＣＣＤ光量認識デバイス部２１６で変換した電気信号をＡＤ変換部２１７を介してディジタル形態の電気信号（電子写真画像情報）として取り込んで撮影画像表示用ディスプレイ２３２にモニター映像として表示し、シャッタースイッチ２３６が押されると、ＣＣＤ光量認識デバイス部２１６から撮影条件に従って出力される電気信号をＡＤ変換部２１７を介して電子写真画像情報として取り込んでＲＡＭ部２１４に形成した電子写真画像メモリ２１４ａに一時蓄積し、撮影画像表示用ディスプレイ２３２にモニター映像として表示すると共に電子写真画像情報として電子写真画像・メモ合成処理部２１１ｃに出力する。
【００３０】
メモ情報判別部２１１ｄは、カメラメモ入力用タブレット型ディスプレイ２３３からメモ入力処理部２１１ｅを介して手書きメモ入力信号を取得して文字認識（判別）してメモ情報とし、ＲＡＭ部２１４に形成したメモメモリ２１４ｂに一時蓄積し、認識したメモ情報をメモ表示処理部２１１ｆを介してカメラメモ入力用タブレット型ディスプレイ２３３に表示して確認させ、メモ入力設定スイッチボタン２３４からの入力があると前記メモ情報を前記電子写真画像・メモ合成処理部２１１ｃに出力し、メモ入力解除スイッチボタン２３５からの入力があると前記メモ情報を消去する。因に、このメモ情報は、所望の電子写真画像情報を検索して再生するときのキーワードとして利用する。
【００３１】
前記電子写真画像・メモ合成処理部２１１ｃは、被写体３２０を撮影する毎に、電子写真画像情報記憶処理部２１１ｂから出力される電子写真画像情報とメモ情報判別部２１１ｄから出力されるメモ情報を合成して１つの電子写真情報としてＲＡＭ部２１４に形成したデータベースメモリ２１４ｃに格納し、データ編集処理部２１１ｇに出力する。
【００３２】
電子写真画像情報記憶処理部２１１ｂにおいて電子写真画像情報を一時蓄積する電子写真画像メモリ２１４ａとメモ情報判別部２１１ｄにおいてメモ情報を一時蓄積するメモメモリ２１４ｂと電子写真画像・メモ合成処理部２１１ｃにおいて合成した電子写真情報を格納するデータベースメモリ２１４ｃのメモリ構成を図５を参照して説明する。
【００３３】
前記電子写真画像メモリ２１４ａとメモメモリ２１４ｂとデータベースメモリ２１４ｃは、ＲＡＭ２１４に区画して形成する。電子写真画像メモリ２１４ａは、ヘッダー以下時系列および撮影順番に電子写真画像情報を記憶する。メモメモリ２１４ｂは、カメラメモ入出力用タブレット型ディスプレイ２３３から入力されたメモ（キーワード）情報を電子写真画像情報に対応させて格納し、データベースメモリ２１４ｃは、１つの電子写真画像情報と１つのメモ情報を合成した電子写真情報を順次に配列した格納する。
【００３４】
データ編集処理部２１１ｇは、電子写真画像・メモ合成処理部２１１ｃから出力される電子写真情報またはデータベース２１４ａに格納されている電子写真情報を読み出し、ネットワーク接続部２１２を介して通信網３１０に接続し、外部メモリ接続部２１５ａを介して外部メモリ２１５ｂに接続し、ＵＳＢインターフェース部２１９を介して電子アルバム１に接続して転送するのに好適な信号形態に編集する。
【００３５】
このような機能部を実現するＣＰＵ２１１の処理動作を図６〜図８に示すフローチャートを参照して説明する。
【００３６】
図６は、電子カメラの立ち上げ処理のフローチャートである。
【００３７】
ステップ６０１
電源スイッチ２３７が投入されて起動すると、撮影画像表示用ディスプレイ２３２にメニュー画面を表示する。
【００３８】
ステップ６０２
初期値設定部２３１からの選択入力に基づいて撮影モード（シャッター速度，フラッシュの有無などの各種撮影条件）を選択的に設定する。
【００３９】
ステップ６０３
被写体３２０から入射する光像の映像を撮影画像表示用ディスプレイ２３２に表示して写ることを確認させる。
【００４０】
図７は、電子写真画像にメモを合成して生成した電子写真情報をデータベースメモリに格納する処理のフローチャートである。
【００４１】
ステップ７０１
シャッタースイッチ２３６が押されると、ＡＤ変換部２１７から電子写真画像情報を取り込んで撮影画像表示用ディスプレイ２３２に表示すると共に電子写真画像メモリ２１４ａに一時記憶する。
【００４２】
ステップ７０２
電子写真画像情報の取り込みの終了を確認する。
【００４３】
ステップ７０３
カメラメモ入出力用タブレット型ディスプレイ２３３からのメモ情報の入力の有無を確認して処理を分岐する。
【００４４】
ステップ７０４
カメラメモ入出力用タブレット型ディスプレイ２３３からのメモ情報の入力があるときには、撮影画像１コマに対応するメモ情報を取り込んでメモメモリ２１４ｂに一時記憶する。このメモ情報の取り込みおよびメモメモリ２１４ｂに記憶する処理は、具体的には、図８に示すように、ステップ７０４ａにおいて手書きメモ入力データの文字識別を行い、ステップ７０４ｂにてニューロアルゴリズムなどの学習効果によってメモ入力データ（文字）を一般文字列に正規変換し、ステップ７０４ｃにおいてメモメモリ２１４ｂに記憶するようにして行う。
【００４５】
ステップ７０５
メモ入力設定スイッチ２３４およびメモ入力解除スイッチ２３５からの入力を確認して処理を分岐する。メモ入力解除スイッチ２３５から入力があるとステップ７０１に戻る。
【００４６】
ステップ７０６
メモ入力設定スイッチ２３４から入力があると、電子写真画像情報とメモ情報を合成して電子写真情報としてデータベースメモリ２１４ｃに格納する。
【００４７】
ステップ７０７
データベースメモリ２１４ｃのカウンタを１個歩進する。
【００４８】
ステップ７０８
電子アルバム１からの電子写真情報の転送要求を確認して処理を分岐する。
【００４９】
ステップ７０９
電子アルバム１から電子写真情報の転送要求があるときには、電子写真情報にヘッダー等の編集用ＩＤを付加してデータ編集処理部２１１ｇを介して要求先に転送する。
【００５０】
図９は、前記電子アルバム１のハードウェア構成を示すブロック図である。外殻１１０は、その前面に、図１０に示すように、タブレット入力型ディスプレイ１１１と、メモ入力用タブレット型ディスプレイ１１２と、タブレット入力用ペン１１３と、メモ入力用設定スイッチ１１４と、メモ入力解除用スイッチ１１５と、指紋入力部１１６と、電源スイッチ１１７を備え、その内部に、制御処理部１２０として、演算処理を行うＣＰＵ１２１と、ＷｅｂやＬＡＮ等の通信網３１０と接続するネットワーク接続部１２２と、電子アルバム機能を実現するアルバムプログラム搭載しているプログラム部ＲＯＭ１２３およびＲＡＭ部１２４と、フラッシュメモリー（ＣＦメモリ）等の外部メモリ部１２５と、電子カメラ２から電子写真情報を取り込むＵＳＢインターフェース部１２６と、前記外殻１１０に設けたタブレット入力型ディスプレイ１１１，メモ入力用タブレット型ディスプレイ１１２，メモ入力用設定スイッチ１１４，メモ入力解除用スイッチ１１５，指紋入力部１１６などとの入出力インターフェース部１２７を内蔵する。
【００５１】
タブレット入力型ディスプレイ１１１は、液晶表示パネルの表面の全域に透明な入力タブレットを重合した構成であり、電子写真画像表示・入力領域１１１ａとコマンド入力ボタン表示領域１１１ｂを備える。
【００５２】
図１１は、前記電子アルバム１の機能ブロック図であり、電源スイッチ１１７を押して制御処理部１２０を起動することによってＣＰＵ１２１がプログラム部ＲＯＭ１２３に搭載されているアルバムプログラムを実行することによって実現する機能である。
【００５３】
電子写真情報記憶処理部１２１ａは、ＬＡＮ等の通信網３１０を介して送信されてくる電子写真情報をネットワーク接続部１２２から入力し、ＣＦメモリ１２５ｂに格納されている電子写真情報を外部メモリ接続部１２５ａを介して読み込み出し、電子カメラ２から転送される電子写真情報をＵＳＢインターフェース部１２６を介して取り込み、ＲＡＭ部１２４に形成したデータベースメモリ１２４ａに格納する。
【００５４】
入力処理部１２１ｂは、タブレット入力型ディスプレイ１１１，メモ入力用タブレット型ディスプレイ１１２，メモ入力用設定スイッチ１１４，メモ入力解除用スイッチ１１５，指紋入力部１１６からの信号を入力する。
【００５５】
指紋認識処理部１２１ｃは、指紋入力部１１６から入力された指紋情報を認識処理する。
【００５６】
操作情報判別処理部１２１ｄは、タブレット入力型ディスプレイ１１１，メモ入力用タブレット型ディスプレイ１１２，メモ入力用設定スイッチ１１４，メモ入力解除用スイッチ１１５から入力されたコマンド（指示内容）を分別して相応する処理部１２１ｅ〜１２１ｎを起動する（詳細は後述する。）。
【００５７】
文字認識処理部１２１ｏは、メモ入力用タブレット型ディスプレイ１１２から入力される手書き入力メモ情報を文字認識処理し、コメント入出力チェック表示処理部１２１ｐは、手書き入力メモ情報と認識文字メモ情報をタブレット入力型ディスプレイ１１２に表示する。
【００５８】
該当画像検索処理部１２１ｑは、文字認識処理部１２１ｏで認識したメモ情報（入力文字）をキーワードとしてデータベースメモリ１２４ａから該当する電子写真情報を読み出して電子写真情報記憶処理部１２１ａを介して画像＋メモ情報編集処理部１２１ｒに出力させる。
【００５９】
画像＋メモ情報編集処理部１２１ｒは、読み出された電子写真情報を編集処理して表示処理部１２１ｓに出力する。
【００６０】
パズル分解処理部１２１ｔは、コンテンツ内容適正化処理部１２１ｕと協働して電子写真画像を分解して表示させるパズル分割情報を出力する。
【００６１】
前記表示処理部１２１ｓは、起動時にメニュー画面を表示すると共に電子写真画像をそのままの形態でタブレット入力型ディスプレイ１１１に表示させ、またはパズル分割情報に従って分割した形態でタブレット入力型ディスプレイ１１１に表示させる。
【００６２】
このような制御処理機能を備えた電子アルバム１は、タブレット入力型ディスプレイ１１１のコマンド入力ボタン表示領域１１１ｂに表示されたコマンド入力ボタンやメモ入力用タブレット型ディスプレイ１１２や指紋入力部１１６からの指示入力があると、該指示入力に対応する各種の処理（詳細は後述する）を実行して電子写真画像情報をタブレット入力型ディスプレイ１１１の電子写真画像表示・入力領域１１１ａに表示する。
【００６３】
例えば、この電子アルバム１によってジグソーパズルを提供して非健常者のリハビリなどに使用する用途では、非健常者の指紋情報をメモ情報として付した該非健常者に縁の家族などを撮影した電子写真情報を予めデータベースメモリ１２４ａに記憶させておき、非健常者の操作に応じて読み出した電子写真情報（電子写真画像）を分割して電子写真画像表示・入力領域１１１ａに表示し、分割表示された電子写真画像片を電子写真画像表示・入力領域１１１ａの表示画面上でドラッグして再組み立て復元させることができるように機能させる。
【００６４】
このリハビリのための用途では、総ての非健常者（操作者）が該当する電子写真画像を選択操作することが困難であることから、外郭１１０に設けた指紋入力部１１６に指紋を入力することによって、この指紋情報を指紋認識処理部１２１ｃで登録指紋か否かを判断し、既に登録されている登録指紋であるときには、この登録指紋に対応する電子写真情報をデータベースメモリ１２４ａから読み出して表示するように機能させる。
【００６５】
また、操作者が任意の家族の電子写真情報（例えば、「孫Ａ」）を電子アルバム１のデータベースメモリ１２４ａから抽出して最初のページから連続して該当電子写真情報がなくなるまで纏めて見たいときには、メモ入力用タブレット型ディスプレイ１１２から「孫Ａ」を手書き入力する。電子アルバム１は、この手書き入力メモ情報を文字認識してメモ情報とし、このメモ情報をキーワードとしてデータベースメモリ１２４ａから該当する電子写真情報を検索して撮影順に配列して表示するように機能させる。
【００６６】
図１２は、電子アルバムの立ち上げ処理のフローチャートである。
【００６７】
ステップ１２０１
電源スイッチ１１７が投入されて起動すると、図１９に示すように、タブレット入力型ディスプレイ１１１にメニュー画面を表示する。このメニュー画面では、コマンド入力ボタン表示領域１１１ｂに各種のコマンド入力ボタン１１８ａ〜１１８ｎを表示する。
【００６８】
コマンド入力ボタン表示領域１１１ｂに各種のコマンド入力ボタン１１８ａ〜１１８ｎは、次のように機能する。
【００６９】
これらのコマンド入力ボタン１１８ａ〜１１８ｎは、一度押されたならば、ボタン表示色を変化させて現在機能中であることを知らしめ、再度同じボタンが押されたときには機能を停止してボタン表示色を元に戻す。
【００７０】
「進１」ボタン１１８ｎ／「戻１」ボタン１１８ａは、指定された最小ページ（例えば１ページ）の画面歩進または戻りを意味する。「進２」ボタン１１８ｍ／「戻２」ボタン１１８ｂは、予めパラメータに登録されたページ（例えば５ページ）の画面歩進または戻りを意味する。そして、「進１」ボタン１１８ｎ，「進２」ボタン１１８ｍ，「戻１」ボタン１１８ａ，「戻２」ボタン１１８ｂは、押されると、ページ更新処理部１２１ｇを起動してページ更新を行う指示入力を発生する。
【００７１】
ファイルボタン１１８ｄは、登録された電子写真コンテンツの一覧表を表示し、表示順番の変更や削除・追加を可能とすることを意味する。このファイルボタン１１８ｄが押されると、登録写真画像コンテンツ表示処理部１２１ｆを起動し、格納された指定のファイルを表示させる指示入力を発生する。
【００７２】
書込みボタン１１８ｆは、一度押すことによって画面上に任意の文字（メモ情報）を書き込み可能とし、再度押すことによってせば、ボタン表示色を元に戻すと共に書き込まれたメモ情報を格納することを意味する。この書込みボタン１１８ｆは、押されると、書き込み処理部１２１ｈを起動して表示画面に書き込まれた情報を入力する指示入力を発生する。
【００７３】
部分削除ボタン１１８ｇは、消しゴム機能を有し、このボタン機能が有効中のときには、書き込まれたメモ情報を消去可能であることを意味する。一括削除ボタン１１８ｈは、書き込みボタン１１８ｆによる書き込み機能動作中に書かれたメモを一括して削除することが可能であることを意味する。これらの部分削除ボタン１１８ｇまたは一括削除ボタン１１８ｈが押されると、メモ一括／部分削除処理部１２１ｉを起動する指示信号を発生する。
【００７４】
ペン種別ボタン１１８ｉは、書込み機能選択パラメータテーブルを表示し、ペンの太さと色の選択を設定し、タッチスイッチのページ更新方向の選択を可能とすることを意味する。色を選択するときには、選択色に従って、ペン種別ボタン１１８ｉの色が同様に同色化する。即ち、パラメータで色を青に設定したときには、ペン種別ボタン１１８ｉ色が青に変化し、操作者に現在書込み色に何色が選択されているかを知らしめるようにする。このペン種別ボタン１１８ｉによって表示させた書込み機能選択パラメータテーブルにおいてタッチスイッチを選択したときには、タッチスイッチ選択処理部１２１ｅを起動し、タブレット入力型ディスプレイ１１１の電子写真画像表示・入力領域１１１ａをタッチスイッチとしてページ更新指示できるようにする。
【００７５】
ステップ１２０２
タブレット入力型ディスプレイ１１１の電子写真画像表示・入力領域１１１ａからの入力信号と指紋入力部１１６からの入力信号を監視して操作モードを確認して処理を分岐する。電子写真画像表示・入力領域１１１ａからの入力信号があるときにはボタン操作入力モードとなり、指紋入力部１１６からの入力信号があるときには指紋入力モードとなる。
【００７６】
ステップ１２０３
指紋入力モードの場合には、指紋入力部１１６から入力された指紋情報が登録指紋か否かを判断して処理を分岐する。登録指紋外であればステップ１１０１に戻る。
【００７７】
ステップ１２０４
登録指紋であれる場合には、該当する指紋登録情報（例えば、患者のカルテや非健常者治療用ドキュメントなど）をロードする。この指紋登録情報は、予めデータベースメモリ１２４ｂに指紋登録情報を設けて各指紋登録者毎に格納しておくものとする。
【００７８】
ステップ１２０５
パズル設定ボタン１１８ｅからの入力を確認して処理を分岐する。パズル設定ボタン１１８ｅからの入力があれば図１８に示したコンテンツ内容適正化処理に移行し、パズル設定ボタン入力がないときとボタン操作入力モードのときには図１３に示した該当画像検索処理に移行する。
【００７９】
ボタン操作入力モードにおいて、例えば操作者が任意の家族の電子写真情報（例えば、「孫Ａ」のメモ情報が付された電子写真情報）をデータベースメモリ１２４ａに格納されている電子写真情報から抽出し、最初のページから連続して該当電子写真情報がなくなるまで纏めて見たい場合の該当画像検索処理では、メモ入力用タブレット型ディスプレイ１１２からメモ情報「孫Ａ」を手書き入力する。この手書き入力メモ情報は、文字認識処理部１２１ｏで文字認識し、該当画像検索処理部１２１ｑを起動してデータベースメモリ１２４ａから該当する電子写真情報を検索して抽出するように使用する。データベースメモリ１２４ａは、図５に示した電子カメラ２のデータベースメモリ２１４ｃと同様に構成して電子写真画像情報とメモ情報を対にして格納しておき、入力メモ情報「孫Ａ」とデータベースメモリ２１４ｃの各電子写真画像情報と対のメモ情報A〜Zの比較を行い、一致している電子写真画像情報１〜Nを抽出して撮影順に配列するようにする。
【００８０】
図１３は、該当画像検索処理のフローチャートである。
【００８１】
ステップ１３０１
メモ入力用タブレット型ディスプレイ１１２からの手書き入力メモ情報を確認して処理を分岐する。入力がないときには入力待ちに戻る。
【００８２】
ステップ１３０２
手書き入力メモ情報を文字認識処理して文字列（入力メモ情報）に変更する。
【００８３】
ステップ１３０３
メモ入力用設定スイッチ１１４とメモ入力解除用スイッチ１１５からの入力を確認して処理を分岐する。メモ入力解除用スイッチ１１５からの入力があるとステップ１３０１の入力待ちに戻る。
【００８４】
ステップ１３０４
メモ入力用設定スイッチ１１４からの入力を確認すると、入力メモ情報（文字列）とデータベースメモリ１２４ａの各電子写真情報のメモ情報を順次に比較する。
【００８５】
ステップ１３０５
入力メモ情報とデータベースメモリ１２４ａの電子写真情報のメモ情報の一致／不一致によって処理を分岐する。
【００８６】
ステップ１３０６
入力メモ情報とデータベースメモリ１２４ａの電子写真情報のメモ情報が一致したときには、一致したメモ情報に対応した電子写真情報を抽出して専用バッファーに格納する。
【００８７】
ステップ１３０７
電子写真情報を抽出して専用バッファーに格納後または入力メモ情報とデータベースメモリ１２４ａの電子写真情報のメモ情報が一致しないときには、比較対象のデータベースメモリ１２４ａのカウンタを１個歩進する。
【００８８】
ステップ１３０８
データベースメモリ１２４ａに格納されている電子写真情報と入力メモ情報の比較の終了を確認して処理を分岐する。終了していないときには、ステップ１３０４に戻る。
【００８９】
ステップ１３０９
データベースメモリ１２４ａに格納されている電子写真情報と入力メモ情報の比較が終了したときには、一致した電子写真情報を集約してトップページから再生して見ることができるように電子写真情報を配列し直す。
【００９０】
図１４は、電子アルバム１の基本動作処理を示すフローチャートである。
【００９１】
ステップ１４０１
電子カメラ２で作成した電子写真情報の入力処理を実行する。
【００９２】
ステップ１４０２
電子写真情報の入力の有無を確認して処理を分岐する。
【００９３】
ステップ１４０３
電子写真情報の入力があるときには、入力した電子写真情報をデータベースメモリ１２４ａに格納して保存する。
【００９４】
ステップ１４０４
電子アルバム１のコマンド入力ボタン表示領域１１１ｂに表示した各種のコマンド入力ボタン１１８ａ〜１１８ｎの操作情報を入力する。
【００９５】
ステップ１４０５
入力したボタン操作情報に基づいて処理を分岐する。
【００９６】
ステップ１４０６
ペン種別ボタン１１８ｉが押されたときには、図２０に示すような書込み機能選択パラメータテーブル１１８ｉ1をタブレット入力型ディスプレイ１１１の電子写真画像表示・入力領域１１１ａに表示し、この書込み機能選択パラメータテーブル１１８ｉ1上の色の選択とペンの太さとタッチスイッチ仕様の指定入力を取得する。
【００９７】
ステップ１４０７
パズル設定ボタン１１８ｅが押されたときには、図２１に示すようなパズル機能選択パラメータテーブル１１８ｅ1をタブレット入力型ディスプレイ１１１の電子写真画像表示・入力領域１１１ａに表示し、次のようなパズル仕様設定処理を実行する。
【００９８】
図１５は、パズル仕様設定処理（ステップ１４０７）のフローチャートを示している。ジグゾーパズル分割仕様は、タブレット入力型ディスプレイ１１１の電子写真画像表示・入力領域１１１ａに表示する電子写真画像を操作者の技能に合わせてジグゾーパズルのように複数の画像片に分割して分散させる仕様である。操作者は表示画面上で画像片にタッチして該画像片を移動させながら元の画像に復元するように操作する表示画像の分割形状は、ジグゾーパズルの最終合体形状（映像）を表わし、この中から任意に選択可能とする。難易度の設定は、操作者の技量により、シグゾーパズルの画像片形が線形・非線形、対象・非対称によって難易度の高低が段階的に変化するようにする。
【００９９】
ステップ１５０１
図２１に示したパズル機能選択パラメータテーブル１１８ｅ1におけるパズル分割仕様のパラメータ（４分割，８分割，１６分割，３２分割，ランダム分割）の選択入力を取得する。
【０１００】
ステップ１５０２〜１５０６
取得した分割仕様選択入力に従って分割パラメータを設定する。
【０１０１】
ステップ１５０７
パズル機能選択パラメータテーブル１１８ｅ1における難易度のパラメータ（初級，中級１，中級２，上級１，上級２，難易度最高）の選択入力を取得する。
【０１０２】
ステップ１５０８〜１５１３
取得した難易度選択入力に従って難易度定数を設定する。
【０１０３】
ステップ１５１４
パズル機能選択パラメータテーブル１８ｅ1における分割形状のパラメータ（○，□，△）の選択入力を取得し、電子写真画像表示・入力領域１１１ａに表示している電子写真画像の最終分割形状（○，□，△）を設定する。
【０１０４】
ステップ１４０８
パズルオン・オフボタン１１８ｋが押されたときには、次のようなパズル機能オン・オフ処理を実行する。
【０１０５】
図１６は、パズル機能オン・オフ処理（ステップ１４０８）のフローチャートを示している。
【０１０６】
ステップ１６０１
パズルオン・オフボタン１１８ｋの入力（状態変化）を検出して処理を分岐する。
【０１０７】
ステップ１６０２
パズルオン・オフボタン１１８ｋがオンになると、パズル仕様設定処理（図１５）において設定されたパズル仕様設定パラメータをロードする。
【０１０８】
ステップ１６０３
タブレット入力型ディスプレイ１１１の電子写真画像表示・入力領域１１１ａに現在表示している電子写真画像のデータをロードする。
【０１０９】
ステップ１６０４
電子写真画像の回転を可能にするために該画像の大きさを半分の正方形面積に縮小する。
【０１１０】
ステップ１６０５
設定されている画像分割数に対応して、分割個数分、四方の位置（X,Y）プロットしセーブする。
【０１１１】
ステップ１６０６
難易度設定パラメータとパズル操作のタイムアウトカウンターＴとをロードする。
【０１１２】
ステップ１６０７
難易度パラメータの分割個数に応じてステップ１６０５でプロットした複数の位置（X、Y）パラメータを更に（Xn、Yn）に分割する。
【０１１３】
ステップ１６０８
分割形状パラメータ（最終画像：○，□，△）をロードする。
【０１１４】
ステップ１６０９
電子写真画像の高さ（または幅の小さい方）に合わせて、分割形状パラメータを当てはめ、この縮小化によりオーバーフローした画像を削除する。
【０１１５】
ステップ１６１０
電子写真画像表示・入力領域１１１ａに表示している電子写真画像を分割個数と分割画面が格納されている乱数表テーブルに応じて裁断してランダムに散在させる。
【０１１６】
ステップ１６１１
ステップ１６０６で設定したタイムアウトカウンターＴをセットして減算しながら操作者によるパズル操作（分割画像片の組立て復元操作）を完了させる。
【０１１７】
ステップ１６１２
パズル操作が設定時間Ｔ内に正しく完了したかどうかを確認して処理を分岐する。設定時間Ｔ内に完了していないときには、未だこの難易度のパズル操作を修得していないことから、難易度パラメータを変更せずに処理を終了する。
【０１１８】
ステップ１６１３
設定時間Ｔ内にパズル操作が正しく完了したときには、パズル設定仕様パラメータとタイムアウトカウンターＴを自動的に１個上級に更新し、カウンターバッファーに格納する。
【０１１９】
ステップ１６１４
コンテンツ内容適正化フラグをセットする。
【０１２０】
ステップ１４０９
分割表示ボタン１１８ｃが押されたときには、分割表示機能処理を実行する。
【０１２１】
図１７は、分割表示機能処理（ステップ１４０９）のフローチャートを示している。
【０１２２】
ステップ１７０１
分割表示ボタン１１８ｃの状態変化を確認して処理を分岐する。状態変化がないときには状態変化待ちモードに戻る。
【０１２３】
ステップ１７０２
分割表示ボタン１１８ｃが数秒以上連続して押されたときには、クリアモードと判断して状態変化検出テーブルをゼロクリアする。
【０１２４】
ステップ１７０３〜１７０６
分割表示ボタン１１８ｃが押されて状態が変化したときには、押された回数１〜Nに応じたステップに移行し、押された回数に相応する分割回数（分割数）を設定する。
【０１２５】
ステップ１７０７
設定された分割回数に応じてデータベースメモリ１２４ａから電子写真画像データを分割分Ｎ個ロードする。
【０１２６】
ステップ１７０８
電子写真画像データの画面表示は、ステップ１６０７でロードした電子写真画像データをＮ個均等に分割した１枚の表示画面として貼り合わせる。この一連の処理を終了した後にステップ１４０１に戻って電子写真情報の入力チェックを実施する。
【０１２７】
ステップ１４１０
ファイルボタン１１８ｄが押されたときには、登録した電子写真画像情報（コンテンツ）ファイルの表示または設定処理を実行する。
【０１２８】
ステップ１４１１
書込みボタン１１８ｆが押されたときには、画面書込みモードとなり、電子写真画像表示・入力領域１１１ａからの書き込み入力を受け付ける。
【０１２９】
ステップ１４１２
一括／部分削除ボタン１１８ｈ，１１８ｇが押されたときには、一括削除／部分削除機能を有効とする。
【０１３０】
ステップ１４１３
ページ更新指示入力があったときには、タッチスイッチ仕様の設定の有無を確認して処理を分岐する。
【０１３１】
ステップ１４１４
タッチスイッチ仕様が設定されているときには、書込み機能選択パラメータテーブル１１８ｉ1（図２０）に設定されたタッチスイッチ仕様に基づいてページ更新パラメータ（更新歩進仕様）を設定する。
【０１３２】
ステップ１４１５
設定されたページ更新パラメータに従ってページ更新処理を実行する。
【０１３３】
ステップ１４１６
ステップ１４１３においてタッチスイッチ仕様が設定されていないときには、ページ更新ボタン１１８ａ，１１８ｂ，１１８ｍ，１１８ｎからの入力チェックを行って処理を分岐する。ページ更新ボタン１１８ａ〜１１８ｎからの入力がなかったときには、ステップ１４０１に戻る。
【０１３４】
ステップ１４１７，１４１８
ページ更新ボタン１１８ａ〜１１８ｎからの入力に従って、それぞれの歩進／戻定数に応じたページ更新処理を実行する。
【０１３５】
図１８は、図１２に示した電子アルバムの立ち上げ処理におけるステップ１２０５においてパズル設定ボタン１１８ｅからの入力があったときに実行するコンテンツ内容適正化処理のフローチャートである。この処理では、操作者から入力された指紋情報が認識されたときに、ジグゾーパズルの難易度を自動更新し、または操作者に関する当該コンテンツ（電子写真情報）を自動的にロードする処理である。
【０１３６】
ステップ１８０１
図１６に示したパズル機能オン・オフ処理におけるステップ１６１４で設定したフラグのＯＮ／ＯＦＦを確認して処理を分岐する。
【０１３７】
ステップ１８０２
フラグがセットされていないときには、図１４に示したパズル仕様設定処理ステップ１４０７（詳細は図１５参照）を実行する。
【０１３８】
ステップ１８０３
図１４に示したパズル機能オン・オフ処理ステップ１４０８（詳細は図１６参照）を実行する。
【０１３９】
ステップ１８０４
ステップ１８０１においてフラグがセットされていたときには、図１５に示したパズル機能オン・オフ処理におけるステップ１６１３で格納したパズル仕様設定パラメータをロードする。
【０１４０】
ステップ１８０５
図１６に示したパズル機能オン・オフ処理におけるステップ１６０３からの処理を実行する。
【図面の簡単な説明】
【０１４１】
【図１】本発明を適用した電子アルバム提供装置のシステム構成図である。
【図２】本発明の電子アルバム提供装置における電子カメラのハードウェア構成を示すブロック図である。
【図３】電子カメラの操作部を示す外殻の背面図である。
【図４】電子カメラの機能ブロック図である。
【図５】電子カメラのメモリの構成図である。
【図６】電子カメラの立ち上げ処理のフローチャートである。
【図７】電子写真画像にメモを合成して生成した電子写真情報をデータベースメモリに格納する処理のフローチャートである。
【図８】手書き入力メモ取り込み処理のフローチャートである。
【図９】電子アルバムのハードウェア構成を示すブロック図である。
【図１０】電子アルバムの正面図である。
【図１１】電子アルバムの機能ブロック図である。
【図１２】電子アルバムの立ち上げ処理のフローチャートである。
【図１３】電子アルバムにおける該当画像検索処理のフローチャートである。
【図１４】電子アルバム１の基本動作処理を示すフローチャートである。
【図１５】電子アルバムにおけるパズル仕様設定処理のフローチャートである。
【図１６】電子アルバムにおけるパズルオン・オフ処理のフローチャートである。
【図１７】電子アルバムにおける分割表示機能処理のフローチャートである。
【図１８】電子アルバムにおけるコンテンツ内容適正化処理のフローチャートである。
【図１９】電子アルバムのタブレット入力型ディスプレイに表示したメニュー画面である。
【図２０】電子アルバムのタブレット入力型ディスプレイに表示した書込み機能選択パラメータテーブルである。
【図２１】電子アルバムのタブレット入力型ディスプレイに表示したパズル機能選択パラメータテーブルである。
【符号の説明】
【０１４２】
１…電子アルバム、２…電子カメラ、１１０…外殻、１１１…タブレット入力型ディスプレイ、１１１ａ…電子写真画像表示・入力領域、１１１ｂ…コマンド入力ボタン表示領域、１１２…メモ入力用タブレット型ディスプレイ、１１６…指紋入力部。
【図１】
2005301381.tif 000003
【図２】
2005301381.tif 000004
【図３】
2005301381.tif 000005
【図４】
2005301381.tif 000006
【図５】
2005301381.tif 000007
【図６】
2005301381.tif 000008
【図７】
2005301381.tif 000009
【図８】
2005301381.tif 000010
【図９】
2005301381.tif 000011
【図１０】
2005301381.tif 000012
【図１１】
2005301381.tif 000013
【図１２】
2005301381.tif 000014
【図１３】
2005301381.tif 000015
【図１４】
2005301381.tif 000016
【図１５】
2005301381.tif 000017
【図１６】
2005301381.tif 000018
【図１７】
2005301381.tif 000019
【図１８】
2005301381.tif 000020
【図１９】
2005301381.tif 000021
【図２０】
2005301381.tif 000022
【図２１】
2005301381.tif 000023